(57)【要約】【課題】イオンによるカビの抑制効果を向上させる空調装置を提供する。【解決手段】空調装置１Ａは、浴室５１の空気を屋外に排気する換気動作を伴う換気運転モードまたは乾燥運転モードでは、換気動作を行って浴室５１内の湿度を下げた後、換気動作を停止または換気風量を下げて換気動作を継続し、浴室５１内の空気を循環させながら、略同数の正イオンと負イオンを浴室５１に供給する。また、２４時間換気運転モード中は、換気運転モードまたは乾燥運転モードでは、換気動作の後、浴室５１からの換気または２４時間換気を中断して、イオンを供給する。【選択図】        図１
2008107035.tif 000002
【特許請求の範囲】
【請求項１】
空気を吸い込んで室内に吹き出す循環送風手段と、
室内に吹き出される空気を加熱する加熱手段と、
正イオンと負イオンとを生成し、前記循環送風手段で室内に吹き出される空気に供給するイオン発生手段と、
空気を吸い込んで屋外に排気する換気手段と、
前記換気手段で室内の空気を屋外に排気する換気動作を伴う所定の運転モードで、換気動作の後に、前記循環送風手段で室内の空気を循環させながら、前記イオン発生手段で正イオンと負イオンを供給するイオン発生運転を行う制御手段と
を備えたことを特徴とする空調装置。
【請求項２】
前記換気手段で室内の空気を屋外に排気する換気動作を伴う所定の運転モードは、室内を換気する換気運転モードと、被対象物を乾燥させる乾燥運転モードで、
前記制御手段は、前記換気運転モードまたは前記乾燥運転モードで換気動作を行って室内の湿度を下げた後、イオン発生運転を行う
ことを特徴とする請求項１記載の空調装置。
【請求項３】
前記制御手段は、前記換気手段による換気動作の停止に伴って、イオン発生運転を行う
ことを特徴とする請求項１または２記載の空調装置。
【請求項４】
常時換気を行う２４時間換気運転モードを有し、前記制御手段は、前記イオン発生運転を行う際に、２４時間換気運転を継続して行うようにした
ことを特徴とする請求項１または２記載の空調装置。
【請求項５】
常時換気を行う２４時間換気運転モードを有し、前記制御手段は、前記イオン発生運転を行う際に、２４時間換気運転を停止して行うようにした
ことを特徴とする請求項１または２記載の空調装置。
【請求項６】
第１室と、前記第１室と異なる他室の換気を行う換気モードを有し、前記制御手段は、前記第１室にイオンを供給するイオン発生運転時には、前記第１室の換気を中断すると共に、前記他室の換気を継続して行うようにした
ことを特徴とする請求項１または２記載の空調装置。
【請求項７】
室内の空気を吸い込んで吹き出す送風手段と、
前記送風手段で室内から吸い込まれた空気を、室内に吹き出すか屋外へ排気するかを切り替える風路切換手段と、
前記送風手段で室内に吹き出される空気を加熱する加熱手段と、
正イオンと負イオンとを生成し、前記送風手段で室内に吹き出される空気に供給するイオン発生手段と、
前記イオン発生手段の作動に伴い、前記風路切換手段を可動制御する制御手段と
を備えたことを特徴とする空調装置。
【請求項８】
室内の空気を吸い込んで吹き出す送風手段と、
前記送風手段で室内から吸い込まれた空気を、室内に吹き出すか屋外へ排気するかを切り替える風路切換手段と、
前記送風手段で室内に吹き出される空気を加熱する加熱手段と、
正イオンと負イオンとを生成し、前記送風手段で室内に吹き出される空気に供給するイオン発生手段と、
前記風路切換手段を、前記送風手段で室内から吸い込んだ空気の全部を屋外に排気する換気位置、または、前記送風手段で室内から吸い込んだ空気の第１の量を屋外に排気する第１の分流位置として、前記送風手段で室内の空気を屋外に排気する換気動作を伴う所定の運転モードを有し、前記所定の運転モードで換気動作を行った後に、前記風路切換手段を、前記送風手段で室内から吸い込んだ空気の全部を室内に吹き出す循環位置、または、前記送風手段で室内から吸い込んだ空気の第１の量より少ない第２の量を屋外に排気する第２の分流位置として、前記送風手段で室内の空気を循環させながら、前記イオン発生手段で正イオンと負イオンを供給するイオン発生運転を行う制御手段と
を備えたことを特徴とする空調装置。
【請求項９】
前記送風手段で室内の空気を屋外に排気する換気動作を伴う所定の運転モードは、室内を換気する換気運転モードと、被対象物を乾燥させる乾燥運転モードで、
前記制御手段は、前記換気運転モードまたは前記乾燥運転モードで換気動作を行って室内の湿度を下げた後、イオン発生運転を行う
ことを特徴とする請求項８記載の空調装置。
【請求項１０】
前記風路切換手段を前記換気位置として、前記送風手段で室内の空気を屋外に排気する換気動作によって常時換気を行う２４時間換気運転モードを有し、前記制御手段は、前記イオン発生運転を行う際に、前記風路切換手段を前記第２の分流位置として、２４時間換気運転を継続して行うようにした
ことを特徴とする請求項８または９記載の空調装置。
【請求項１１】
前記風路切換手段を前記換気位置として、前記送風手段で室内の空気を屋外に排気する換気動作によって常時換気を行う２４時間換気運転モードを有し、前記制御手段は、前記イオン発生運転を行う際に、前記風路切換手段を前記循環位置として、２４時間換気運転を停止して行うようにした
ことを特徴とする請求項８または９記載の空調装置。
【発明の詳細な説明】
【技術分野】
【０００１】
本発明は、浴室や洗面脱衣所等に設置され、室内の換気や乾燥等を行う空調装置に関する。
【背景技術】
【０００２】
従来より、浴室等の換気や、浴室及び洗濯物等の乾燥を行う機能を備えた浴室換気乾燥機が提案されている。このような浴室換気乾燥機では、正イオンと負イオンを略同数発生させて浴室に供給することで、浴室内の浮遊細菌を除去し、カビの発生を抑制する運転モードを備えるものがあった（例えば、特許文献１参照）。
【０００３】
【特許文献１】特開２００４−８５０７８号公報
【発明の開示】
【発明が解決しようとする課題】
【０００４】
従来の浴室換気乾燥機では、浴室の換気を伴う乾燥モードや換気モードと連動して、換気を行いながらイオンを発生している。乾燥モードや換気モードでは、短時間で換気を行うため、換気風量が多く設定されており、浴室内の多くの空気が換気により排気される。
【０００５】
これにより、浴室に供給したイオンが排気されてしまい、イオンを供給することによるカビの抑制効果が十分に得られない虞があった。
【０００６】
また、乾燥運転や換気運転後、機内の風路にイオンを供給して、浴室換気乾燥機内部のカビを抑制するようにした技術も提案されているが、浴室内にはイオンが供給されないので、乾燥運転や換気運転後に、浴室内のカビの抑制効果を得ることができなかった。
【０００７】
本発明は、このような課題を解決するためになされたもので、イオンによるカビの抑制効果を向上させる空調装置を提供することを目的とする。
【課題を解決するための手段】
【０００８】
上述した課題を解決するため、本発明の空調装置は、空気を吸い込んで室内に吹き出す循環送風手段と、室内に吹き出される空気を加熱する加熱手段と、正イオンと負イオンとを生成し、循環送風手段で室内に吹き出される空気に供給するイオン発生手段と、空気を吸い込んで屋外に排気する換気手段と、換気手段で室内の空気を屋外に排気する換気動作を伴う所定の運転モードで、換気動作の後に、循環送風手段で室内の空気を循環させながら、イオン発生手段で正イオンと負イオンを供給するイオン発生運転を行う制御手段とを備えたことを特徴とする。
【０００９】
また、本発明の空調装置は、室内の空気を吸い込んで吹き出す送風手段と、送風手段で室内から吸い込まれた空気を、室内に吹き出すか屋外へ排気するかを切り替える風路切換手段と、送風手段で室内に吹き出される空気を加熱する加熱手段と、正イオンと負イオンとを生成し、送風手段で室内に吹き出される空気に供給するイオン発生手段と、イオン発生手段の作動に伴い、風路切換手段を可動制御する制御手段とを備えたことを特徴とする。
【００１０】
更に、本発明の空調装置は、室内の空気を吸い込んで吹き出す送風手段と、送風手段で室内から吸い込まれた空気を、室内に吹き出すか屋外へ排気するかを切り替える風路切換手段と、送風手段で室内に吹き出される空気を加熱する加熱手段と、正イオンと負イオンとを生成し、送風手段で室内に吹き出される空気に供給するイオン発生手段と、風路切換手段を、送風手段で室内から吸い込んだ空気の全部を屋外に排気する換気位置、または、送風手段で室内から吸い込んだ空気の第１の量を屋外に排気する第１の分流位置として、送風手段で室内の空気を屋外に排気する換気動作を伴う所定の運転モードを有し、所定の運転モードで換気動作を行った後に、風路切換手段を、送風手段で室内から吸い込んだ空気の全部を室内に吹き出す循環位置、または、送風手段で室内から吸い込んだ空気の第１の量より少ない第２の量を屋外に排気する第２の分流位置として、送風手段で室内の空気を循環させながら、イオン発生手段で正イオンと負イオンを供給するイオン発生運転を行う制御手段とを備えたことを特徴とする。
【００１１】
本発明の空調装置では、室内に温風を吹き出しながら換気を行う乾燥運転モードや、室内の換気を行う換気運転モード等、換気動作を伴う所定の運転モードと、イオンの発生を連動させる運転では、換気動作を行った後に、室内の空気を循環させながらイオンを供給するイオン発生運転を行う。
【発明の効果】
【００１２】
本発明の空調装置によれば、室内の空気を排気する換気動作の後にイオンを発生させて室内に供給するので、イオンの排出が抑制され、カビの抑制効果を向上させることができる。
【００１３】
また、イオンを供給する前に室内の湿度を下げることができるので、カビの抑制効果を更に向上させることができる。
【発明を実施するための最良の形態】
【００１４】
以下、図面を参照して本発明の空調装置の実施の形態について説明する。
【００１５】
＜第１の実施の形態の空調装置の構成例＞
図１は、第１の実施の形態の空調装置の一例を示す構成図である。第１の実施の形態の空調装置１Ａは、浴室暖房換気乾燥機等と称され、第１室としての例えば浴室５１の天井に設置される。空調装置１Ａは、浴室５１に隣接した洗面脱衣所５２の壁面に操作部４１Ａが設置され、操作部４１Ａが操作されることで、実行すべき運転モードが選択される。
【００１６】
空調装置１Ａで実行される運転モードとしては、浴室５１の暖房を行う暖房運転モードと、浴室５１で洗濯物等の乾燥を行う乾燥運転モードと、浴室５１の換気を行う換気運転モードと、浴室５１に送風を行う涼風運転モードと、図示しない建物の換気を常時行う２４時間換気運転モード等を有し、操作部４１Ａの操作でこれら各運転モードが選択される。
【００１７】
図２及び図３は、空調装置１Ａの一例を示す構成図で、図２は、空調装置１Ａの断面図、図３は空調装置１Ａを下方から見た分解斜視図である。
【００１８】
空調装置１Ａは、空気を吸い込んで循環させる循環ファン部１２と、空気を吸い込んで排気する換気ファン部１３とを備える。
【００１９】
循環ファン部１２は循環送風手段の一例で、回転軸の向きを鉛直方向とした多翼のファン１４と、ファン１４を回転駆動する循環ファンモータ１５と、風路を形成する循環ファンケース１６を備える。
【００２０】
循環ファンケース１６は、ファン１４の軸方向に沿った下面が開口して循環ファン吸込口１７が形成される。また、循環ファンケース１６は、ファン１４の接線方向に沿って吹出風路１８が形成され、吹出風路１８と連通した下面が開口して循環ファン吹出口１９が形成される。
【００２１】
循環ファン部１２では、循環ファンモータ１５によってファン１４が回転駆動されると、循環ファン吸込口１７から空気が吸い込まれ、循環ファン吸込口１７から吸い込まれた空気は、吹出風路１８を通って循環ファン吹出口１９から吹き出される。
【００２２】
空調装置１Ａは、循環ファン部１２にヒータ２０ｈを備える。ヒータ２０ｈは加熱手段の一例で、例えばＰＴＣヒータが用いられ、循環ファン吹出口１９の近傍の吹出風路１８に取り付けられる。これにより、ファン１４を回転駆動すると共にヒータ２０ｈに通電すると、吹出風路１８を通る空気がヒータ２０ｈによって加熱されて、循環ファン吹出口１９から温風が吹き出す。
【００２３】
また、空調装置１Ａは、循環ファン部１２にイオン発生器２０ｉを備える。イオン発生器２０ｉはイオン発生手段の一例で、ヒータ２０ｈより上流側の吹出風路１８に、図示しないイオン放出面を露出させて取り付けられ、正イオンと負イオンを発生させる。
【００２４】
正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００２５】
これらＨ+（Ｈ2Ｏ）m及びＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで除去することができる。ここで、・ＯＨは活性種の１種であり、ラジカルのＯＨを示している。
【００２６】
これにより、ファン１４を回転駆動すると共にイオン発生器２０ｉで略同数の正イオンと負イオンを発生させると、略同数の正イオンと負イオンを含む空気が循環ファン吹出口１９から吹き出す。
【００２７】
なお、空調装置１Ａでは、循環送風手段は、循環ファン部１２に加えて、イオンを室内に供給するための専用のファンを用いても良く、単一のファンのみならず、複数のファンからなっていても良い。
【００２８】
換気ファン部１３は換気手段の一例で、回転軸の向きを鉛直方向とした多翼のファン２１と、ファン２１を回転駆動する換気ファンモータ２２と、風路を形成する換気ファンケース２３を備える。
【００２９】
換気ファンケース２３は、ファン２１の軸方向に沿った下面が開口して換気ファン吸込口２４が形成される。また、換気ファンケース２３は、ファン２１の接線方向に沿って排気風路２５が形成され、排気風路２５と連通した一の側面が開口して排気口２６が形成される。
【００３０】
空調装置１Ａは、循環ファン部１２と換気ファン部１３を収容する本体ケース２７を備える。本体ケース２７は、鉄等の金属で構成され、循環ファン部１２の上側に換気ファン部１３が重なる形態で、循環ファン部１２と換気ファン部１３が取り付けられる。
【００３１】
空調装置１Ａは、本体ケース２７の一の側面に、換気ファン部１３の排気口２６と連通した排気ダクトジョイント２８ａが取り付けられる。
【００３２】
また、空調装置１Ａは、排気口２６の形成面以外の本体ケース２７の他の側面に１個または２個の副吸込口２７ａが形成され、副吸込口２７ａに副吸込ダクトジョイント２８ｂが取り付けられる。
【００３３】
更に、空調装置１Ａは、本体ケース２７内で循環ファン部１２の上側に、循環ファン部１２の吹出風路１８とは独立して、副吸込口２７ａと換気ファン吸込口２４を連通させた副吸込風路２９が形成される。
【００３４】
空調装置１Ａは、換気ファン部１３の下側に換気吸込風路形成部材３０が取り付けられる。換気吸込風路形成部材３０は、本体ケース２７の下面側に開口を有して換気吸込口３０ａを形成すると共に、換気吸込口３０ａと換気ファン吸込口２４を連通させた換気吸込風路３０ｂを形成する。
【００３５】
換気吸込口３０ａは主吸込口の一例で、換気吸込風路３０ｂを開閉する風路開閉ダンパ３１を備える。風路開閉ダンパ３１は風路開閉手段の一例で、ダンパモータ３１ａに駆動されて換気吸込風路３０ｂを開閉する。風路開閉ダンパ３１で換気吸込風路３０ｂを閉じると、換気吸込口３０ａからの空気の吸い込みが停止される。また、風路開閉ダンパ３１の開度を調整することで、換気吸込口３０ａから吸い込まれる空気の量が調整される。
【００３６】
空調装置１Ａは、本体ケース２７の下面にフロントパネル３２を備える。フロントパネル３２は、本体ケース２７に対して着脱できるように構成され、循環ファン部１２の循環ファン吸込口１７及び換気ファン部１３と連通した換気吸込口３０ａと対向して吸込グリル３２ａが形成される。また、フロントパネル３２は、循環ファン部１２の循環ファン吹出口１９と対向して吹出グリル３２ｂが形成される。
【００３７】
空調装置１Ａは、吹出グリル３２ｂに面して循環ファン吹出口１９に電動ルーバ３３を備える。
【００３８】
図４は、電動ルーバ３３の一例を示す構成図で、図４（ａ）は、吹出グリル３２ｂの長手方向から見た電動ルーバ３３の正面図、図４（ｂ）は、吹出グリル３２ｂの短手方向から見た電動ルーバ３３の側面図である。
【００３９】
電動ルーバ３３は、吹出グリル３２ｂの短手方向に沿って延び、吹出グリル３２ｂの長手方向に沿って並列した複数枚の第１の整流板３４ａと、第１の整流板３４ａの向きを変える第１のルーバモータ３５ａと、各第１の整流板３４ａに駆動力を伝達する第１のリンク機構３６ａを備える。
【００４０】
また、電動ルーバ３３は、第１の整流板３４ａと直交する向きに配置される複数枚の第２の整流板３４ｂと、第２の整流板３４ｂの向きを変える第２のルーバモータ３５ｂと、各第２の整流板３５ｂに駆動力を伝達する第２のリンク機構３６ｂを備える。
【００４１】
各第１の整流板３４ａは、図示しない枠体等に軸３７ａを支点に回転自在に支持され、１枚の第１の整流板３４ａの軸３７ａに第１のルーバモータ３５ａの軸が連結されている。第１のルーバモータ３５ａはステッピングモータで構成され、第１の整流板３４ａの往復回転動作が可能である。
【００４２】
各第１の整流板３４ａは、第１のリンク機構３６ａを構成するリンクロッド３８ａで連結される。
【００４３】
これにより、第１のルーバモータ３５ａが矢印ａ，ｂ方向に回転駆動されると、複数枚の第１の整流板３４ａの中で、第１のルーバモータ３５ａの軸と連結された第１の整流板３４ａが軸３７ａを支点にして矢印ａ，ｂ方向に回転すると共に、各第１の整流板３４ａがリンクロッド３８ａで連結されているので、各第１の整流板３４ａが軸３７ａを支点にして矢印ａ，ｂ方向に回転する。
【００４４】
第２の整流板３４ｂも、第１の整流板３４ａと同様の構成で駆動され、各第２の整流板３４ｂは、図示しない枠体等に軸３７ｂを支点に回転自在に支持され、１枚の第２の整流板３４ｂの軸３７ｂに第２のルーバモータ３５ｂの軸が連結されている。第２のルーバモータ３５ｂはステッピングモータで構成され、第２の整流板３４ｂの往復回転動作が可能である。
【００４５】
各第２の整流板３４ｂには、第２のリンク機構３６ｂを構成するリンクレバー３９ｂが取り付けられ、各リンクレバー３９ｂがリンクロッド３８ｂで連結される。
【００４６】
これにより、第２のルーバモータ３５ｂが矢印ｃ，ｄ方向に回転駆動されると、複数枚の第２の整流板３４ｂの中で、第２のルーバモータ３５ｂの軸と連結された第２の整流板３４ｂが軸３７ｂを支点にして矢印ｃ，ｄ方向に回転すると共に、各第２の整流板３４ｂがリンクレバー３９ｂ及びリンクロッド３８ｂで連結されているので、各第２の整流板３４ｂが軸３７ｂを支点にして矢印ｃ，ｄ方向に回転する。
【００４７】
このように、電動ルーバ３３は、整流板の向きを切り換えられるようにすることで、空気の吹き出し方向が運転モード毎、または利用者の操作によって選択された向きに切り換えられるようになっている。
【００４８】
次に、図１を参照にして空調装置１Ａの設置例について説明する。空調装置１Ａは、浴室５１の天井に設置される。浴室５１の天井パネルには、図２等で説明した空調装置１Ａの本体ケース２７が入る開口部が形成され、空調装置１Ａは、フロントパネル３２が露出するようにして、天井裏から吊り下げる形態、あるいは天井パネルに固定する形態等で取り付けられる。
【００４９】
浴室５１の天井に取り付けられた空調装置１Ａは、排気ダクトジョイント２８ａに排気ダクト３が接続される。排気ダクト３は、図示しない建物の外壁５３に取り付けた屋外グリル４に接続され、空調装置１Ａで浴室５１等から吸い込んだ空気を、排気ダクト３を介して屋外に排気できる構成となっている。
【００５０】
また、空調装置１Ａは、副吸込口２７ａに取り付けられた副吸込ダクトジョイント２８ｂに副吸込ダクト５が接続され、副吸込ダクト５は、例えばトイレ５４等の他室に設置された副吸込口６に接続されて、トイレ５４から図示しない建物の他室の空気を吸い込める構成となっている。
【００５１】
なお、空調装置１Ａに副吸込口２７ａを２個備える構成では、洗面脱衣所５２にも副吸込口６を備えて、空調装置１Ａと副吸込ダクト５で接続する構成としても良い。
【００５２】
空調装置１Ａは、洗濯物等の被乾燥物を乾燥させる機能を備えるので、浴室５１には洗濯物等を掛けるランドリパイプ５５を備える。ここで、空調装置１Ａの吹出グリル３２ｂから吹き出す空気が、浴槽５１ａから出て洗い場５１ｂに居る入浴者に直接当たると、体が濡れている場合等に寒さを感じることがある。このため、吹き出し方向がランドリパイプ５５側に向くように、図４で説明した電動ルーバ３３により風向が初期設定される。
【００５３】
浴室５１の入口には浴室ドア５６を備える。浴室ドア５６は空気取入口（ガラリ）５６ａを備え、浴室５１に隣接した洗面所脱衣所５２等の空気を浴室５１内に取り込めるようになっている。
【００５４】
＜第１の本実施の形態の空調装置の制御機能例＞
図５は、空調装置１Ａの制御系の一例を示す機能ブロック図である。空調装置１Ａは、ＣＰＵやＥＥＰＲＯＭ等の不揮発性のメモリ７１ａ等を有した制御部７１に、操作部４１Ａと、図２〜図４で説明した循環ファンモータ１５と、換気ファンモータ２２と、ヒータ２０ｈと、イオン発生器２０ｉと、ダンパモータ３１ａと、第１のルーバモータ３５ａと、第２のルーバモータ３５ｂ等が接続される。
【００５５】
制御部７１は制御手段の一例で、メモリ７１ａ等に格納されたプログラムに従って、本例では、暖房運転を行う暖房運転モード、換気運転を行う換気運転モード、乾燥運転を行う乾燥運転モード、涼風運転を行う涼風運転モード及び２４時間換気運転を行う２４時間換気運転モードを実行する。
【００５６】
換気運転モードと乾燥運転モードでは、イオンの発生を連動させるか否かの設定がメモリ７１ａに格納され、制御部７１は、メモリ７１ａに格納された設定に応じて、イオンの発生を連動させた換気運転モードと乾燥運転モードを実行する。
【００５７】
また、換気ファン部１３による換気風量を、例えば２段階に切り替えられるように、換気ファンモータ２２の回転数や風路開閉ダンパ３１の開度が設定され、これら情報が例えばメモリ７１ａに格納される。
【００５８】
本例では、常時換気を行うことで、図１に示す浴室５１及び浴室５１が設置された図示しない建物全体の空気を所定時間で入れ替えられる第１の換気風量と、第１の換気風量より換気風量を増加させた第２の換気風量が設定され、制御部７１は、運転モードに従って第１の換気風量と第２の換気風量を切り替える。
【００５９】
図６は、操作部４１Ａの一例を示す構成図である。操作部４１Ａは、運転モード選択ボタンとして、図１に示す浴室５１及び浴室５１が設置された図示しない建物全体を、所定の換気風量で常時換気を行う２４時間換気運転モードを選択する２４時間換気運転選択ボタン４２ａを備える。
【００６０】
また、操作部４１Ａは、換気運転モードを選択する換気運転選択ボタン４２ｂと、乾燥運転モードを選択する乾燥運転選択ボタン４２ｃと、暖房運転モードを選択する暖房運転選択ボタン４２ｄと、涼風運転モードを選択する涼風運転選択ボタン４２ｅを備える。
【００６１】
更に、操作部４１Ａは、２４時間換気運転モード以外の運転を停止させる停止ボタン４２ｆを備える。
【００６２】
また、操作部４１Ａは、電動ルーバ３３の向きを変えるルーバボタン４３ａと、時刻の設定や、イオンの発生の有無の設定等を行う設定変更ボタン４３ｂと、変更された設定を決定する決定ボタン４３ｃを備える。
【００６３】
更に、操作部４１Ａは、各運転モード選択ボタンで選択された運転モード及び各運転モードで設定される風量等を視認させるため、各ボタンに対応してステータスランプ４４を備える。
【００６４】
例えば、操作部４１Ａは、ステータスランプとして、換気運転選択ボタン４２ｂに対応して標準モードランプ４４ａとクリーンモードランプ４４ｂを備える。標準モードランプ４４ａは、浴室５１の通常の換気を行う運転モードが選択されると点灯し、クリーンモードランプ４４ｂは、イオンの発生を連動させる運転モード、または浴室５１内の空気を循環させながら換気を行う運転モードが選択されると点灯する。
【００６５】
また、乾燥運転選択ボタン４２ｃに対応して標準モードランプ４４ｃを備える。標準モードランプ４４ｃは、イオンの発生を連動させて浴室５１や衣類等の乾燥を行う運転モードまたはイオンの発生を停止させて浴室５１や衣類等の乾燥を行う運転モードが選択されると点灯する。
【００６６】
更に、操作部４１Ａは、ステータスランプとしてイオン発生ランプ４４ｄを備える。イオン発生ランプ４４ｄは、イオンの発生を連動させる運転モードで、イオンを発生させている間点灯する。
【００６７】
また、操作部４１Ａは、現在時刻及び設定時では設定値等が表示される表示部４５を備える。
【００６８】
＜第１の実施の形態の空調装置の動作例＞
図７及び図８は、第１の実施の形態の空調装置１Ａの動作例を示すタイミングチャートで、次に、空調装置１Ａにおいてイオンの発生を連動させる運転モードの動作例について各図を参照して説明する。
【００６９】
（１−１）イオン連動換気運転モードの動作例
操作部４１Ａで設定変更ボタン４３ｂ及び決定ボタン４３ｃが操作され、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【００７０】
イオンの発生を連動させたイオン連動換気運転モードが選択されると、制御部７１は、図７（１−１）に示す動作を実行するため、ダンパモータ３１ａを駆動して風路開閉ダンパ３１を開けて所定の開度にし、第２の換気風量で換気ファンモータ２２を駆動すると共に、循環ファンモータ１５を駆動して、浴室５１の循環換気運転を行う。
【００７１】
すなわち、換気ファンモータ２２が駆動されると、換気ファン部１３のファン２１が回転することで、フロントパネル３２の吸込グリル３２ａから、換気吸込口３０ａを通り換気ファン吸込口２４へ浴室５１内の空気が吸い込まれる。
【００７２】
換気ファン吸込口２４から吸い込まれた空気は、排気風路２５によって排気口２６へと流れる。そして、排気ダクトジョイント２８ａに接続された排気ダクト３から、屋外グリル４を介して屋外へ排気される。
【００７３】
また、換気ファンモータ２２が駆動されると、副吸込ダクトジョイント２８ｂに接続された副吸込ダクト５を介して、副吸込口６からトイレ５４等の空気が吸い込まれ、排気ダクトジョイント２８ａに接続された排気ダクト３から、屋外グリル４を介して屋外へ排気される。
【００７４】
なお、空調装置１Ａで浴室５１の空気が吸い込まれると、浴室ドア５６の空気取入口５６ａから洗面所脱衣所５２の空気が浴室５１に取り込まれる。
【００７５】
循環ファンモータ１５が駆動されると、循環ファン部１２のファン１４が回転することで、フロントパネル３２の吸込グリル３２ａから、循環ファン部１２の循環ファン吸込口１７へ浴室５１内の空気が吸い込まれる。
【００７６】
循環ファン吸込口１７から吸い込まれた空気は、吹出風路１８によって循環ファン吹出口１９へと流れる。イオン連動換気運転モードでは、ヒータ２０ｈに通電されていないので、フロントパネル３２の吹出グリル３２ｂから、浴室５１内の温度に応じた風が吹き出す。
【００７７】
このように、イオン連動換気運転モードで、まず、浴室５１内の空気を循環させながら、第２の換気風量で換気動作を行うことで、浴室５１内の湯気や湿気が短時間で排出される。
【００７８】
イオン連動換気運転モードで、循環換気運転を所定時間行うと、制御部７１は、換気ファンモータ２２を停止する。また、循環ファンモータ１５の駆動は継続し、イオン発生器２０ｉで略同数の正イオンと負イオンを発生させる。イオン発生器２０ｉでイオンを発生させると、操作部４１Ａのイオン発生ランプ４４ｄが点灯する。なお、操作部４１Ａでイオン発生ランプ４４ｄが点灯することで、ユーザは、イオンが発生する運転に切り替わったことを認識できる。
【００７９】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【００８０】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【００８１】
そして、イオン連動換気運転モードで、イオンを発生させている間は、換気動作を停止することで、浴室５１に供給したイオンが排気されること防ぐ。
【００８２】
イオン連動換気運転モードで、イオンの発生を所定時間行うと、制御部７１は、循環ファンモータ１５を停止すると共に、イオン発生器２０ｉでのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【００８３】
なお、イオン連動換気運転モードでの循環換気運転の時間とイオン発生の時間は、予め決められていても良いし、ユーザが設定できるようにしても良い。例えば、イオン連動換気運転モードの設定時間をユーザが例えば３時間と設定すると、循環換気運転を３時間行った後、所定時間、例えば１時間イオンを発生させるようにしても良く、あるいは、イオン連動換気運転モードが３時間と設定されると、その中の２時間は循環換気運転を行い、残り１時間はイオンを発生させるようにしても良い。
【００８４】
なお、イオン連動換気運転モードの設定時間は、本モードに適した初期値（例えば３時間）が設定されており、その値（例えば３時間）は、変更されるまでメモリ７１ａ等に記憶され、また、値を変更した場合も、その変更した値（例えば４時間）がメモリ７１ａ等に記憶されるようになっており、その都度ユーザが、設定時間を設定し直す必要がないようにすることができる。なお、上述した初期値は、各種運転モードに応じた値として設定されている。
【００８５】
更に、イオンを発生する所定時間をユーザが設定できるようにしても良く、その場合に設定した時間は、変更されるまでメモリ７１ａ等に記憶され、また、変更した値も変更の都度メモリ７１ａ等に記憶されるようにし、ユーザがその都度イオン発生時間の設定をし直す必要がないようにすることができる。
【００８６】
（１−２）２４時間換気時のイオン連動換気運転モードの動作例
操作部４１Ａで２４時間換気運転選択ボタン４２ａが押されると、制御部７１は、ダンパモータ３１ａを駆動して風路開閉ダンパ３１を開けて所定の開度にし、第１の換気風量で換気ファンモータ２２を駆動する。
【００８７】
換気ファンモータ２２が駆動されると、上述したように、換気ファン部１３のファン２１が回転することで、フロントパネル３２の吸込グリル３２ａから浴室５１内の空気が換気ファン部１３に吸い込まれ、屋外グリル４を介して屋外へ排気される。
【００８８】
また、換気ファンモータ２２が駆動されると、副吸込口６からトイレ５４等の空気が吸い込まれ、屋外グリル４を介して屋外へ排気される。
【００８９】
このように、第１の換気風量で常時換気を行うと、浴室５１及び浴室５１が設置された図示しない建物全体の空気が所定時間で入れ替えられる。
【００９０】
２４時間換気運転モードが実行され、かつ、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【００９１】
イオンの発生を連動させたイオン連動換気運転モードが選択されると、制御部７１は、図７（１−２）に示す動作を実行するため、第１の換気風量から第２の換気風量に切り替えて換気ファンモータ２２を駆動すると共に、循環ファンモータ１５を駆動して、浴室５１の循環換気運転を行う。
【００９２】
２４時間換気時のイオン連動換気運転モードでは、換気ファンモータ２２の駆動が継続されることで、フロントパネル３２の吸込グリル３２ａから浴室５１内の空気が換気ファン部１３に吸い込まれ、屋外グリル４を介して屋外へ排気される。また、副吸込口６からトイレ５４等の空気が吸い込まれ、屋外グリル４を介して屋外へ排気される。
【００９３】
循環ファンモータ１５が駆動されると、上述したように、循環ファン部１２のファン１４が回転することで、フロントパネル３２の吸込グリル３２ａから浴室５１内の空気が循環ファン部１２に吸い込まれ、フロントパネル３２の吹出グリル３２ｂから浴室５１内に吹き出す。
【００９４】
このように、２４時間換気時のイオン連動換気運転モードで、まず、浴室５１内の空気を循環させながら、第２の換気風量で換気動作を行うことで、浴室５１内の湯気や湿気が短時間で排出される。
【００９５】
２４時間換気時のイオン連動換気運転モードで、循環換気運転を所定時間行うと、制御部７１は、第２の換気風量から第１の換気風量に切り替えて換気ファンモータ２２を駆動する。また、循環ファンモータ１５の駆動は継続し、イオン発生器２０ｉで略同数の正イオンと負イオンを発生させる。イオン発生器２０ｉでイオンを発生させると、操作部４１Ａのイオン発生ランプ４４ｄが点灯する。
【００９６】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【００９７】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【００９８】
そして、２４時間換気時のイオン連動換気運転モードで、イオンを発生させると、浴室５１からの換気風量を低下させることで、浴室５１に供給したイオンが排気されること抑えると共に、湿気は排出し、かつ、２４時間換気に必要な換気風量が常時得られるようにする。
【００９９】
２４時間換気時のイオン連動換気運転モードで、イオンの発生を所定時間行うと、制御部７１は、循環ファンモータ１５を停止すると共に、イオン発生器２０ｉでのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０１００】
（１−３）２４時間換気時のイオン連動換気運転モードの変形例
２４時間換気時のイオン連動換気運転モードでは、イオンを発生する運転中は、浴室５１からの換気は停止させるようにしてもよい。
【０１０１】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【０１０２】
イオンの発生を連動させたイオン連動換気運転モードが選択されると、制御部７１は、図７（１−３）に示す動作を実行するため、第１の換気風量から第２の換気風量に切り替えて換気ファンモータ２２を駆動すると共に、循環ファンモータ１５を駆動して、浴室５１の循環換気運転を行う。
【０１０３】
換気ファンモータ２２の駆動が継続されることで、フロントパネル３２の吸込グリル３２ａから浴室５１内の空気が換気ファン部１３に吸い込まれ、屋外グリル４を介して屋外へ排気される。また、副吸込口６からトイレ５４等の空気が吸い込まれ、屋外グリル４を介して屋外へ排気される。
【０１０４】
循環ファンモータ１５が駆動されると、上述したように、循環ファン部１２のファン１４が回転することで、フロントパネル３２の吸込グリル３２ａから浴室５１内の空気が循環ファン部１２に吸い込まれ、フロントパネル３２の吹出グリル３２ｂから浴室５１内に吹き出す。
【０１０５】
このように、２４時間換気時のイオン連動換気運転モードで、まず、浴室５１内の空気を循環させながら、第２の換気風量で換気動作を行うことで、浴室５１内の湯気や湿気が短時間で排出される。
【０１０６】
２４時間換気時のイオン連動換気運転モードで、循環換気運転を所定時間行うと、制御部７１は、第２の換気風量から第１の換気風量に切り替えて換気ファンモータ２２を駆動すると共に、ダンパモータ３１ａを駆動して風路開閉ダンパ３１を閉じる。また、循環ファンモータ１５の駆動は継続し、イオン発生器２０ｉで略同数の正イオンと負イオンを発生させる。イオン発生器２０ｉでイオンを発生させると、操作部４１Ａのイオン発生ランプ４４ｄが点灯する。
【０１０７】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１０８】
イオン発生中は、風路開閉ダンパ３１を閉じることで、換気ファン部１３が動作していても、浴室５１からの換気は停止している。
【０１０９】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１１０】
そして、２４時間換気時のイオン連動換気運転モードで、イオンを発生させると、浴室５１からの換気を中断することで、浴室５１に供給したイオンが排気されること防ぐと共に、２４時間換気に必要な換気風量が他室から得られるようにする。
【０１１１】
２４時間換気時のイオン連動換気運転モードで、イオンの発生を所定時間行うと、制御部７１は、循環ファンモータ１５を停止すると共に、イオン発生器２０ｉでのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０１１２】
また、ダンパモータ３１ａを駆動して風路開閉ダンパ３１を開け、浴室５１からの換気を再開する。
【０１１３】
（１−４）２４時間換気時のイオン連動換気運転モードの他の変形例
本例の空調装置１Ａでは、循環ファン部１２と換気ファン部１３が別に備えられ、また、浴室５１からの換気吸込口３０ａを開閉する風路開閉ダンパ３１ａを備えることで、他室からの２４時間換気運転は継続しながら、浴室５１からの換気を停止できる。
【０１１４】
これに対して、換気吸込口３０ａを開閉する風路開閉ダンパ３１ａを備えていない構成の図示しない空調装置等では、２４時間換気を行っている状態では、浴室５１からの換気を停止できない。
【０１１５】
そこで、２４時間換気時のイオン連動換気運転モードでは、イオンを発生する運転中は、２４時間換気運転を停止させるようにしてもよい。
【０１１６】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【０１１７】
イオンの発生を連動させたイオン連動換気運転モードが選択されると、制御部７１は、図７（１−４）に示す動作を実行するため、第１の換気風量から第２の換気風量に切り替えて換気ファンモータ２２を駆動すると共に、循環ファンモータ１５を駆動して、浴室５１の循環換気運転を行う。
【０１１８】
換気ファンモータ２２の駆動が継続されることで、フロントパネル３２の吸込グリル３２ａから浴室５１内の空気が換気ファン部１３に吸い込まれ、屋外グリル４を介して屋外へ排気される。また、副吸込口６からトイレ５４等の空気が吸い込まれ、屋外グリル４を介して屋外へ排気される。
【０１１９】
循環ファンモータ１５が駆動されると、上述したように、循環ファン部１２のファン１４が回転することで、フロントパネル３２の吸込グリル３２ａから浴室５１内の空気が循環ファン部１２に吸い込まれ、フロントパネル３２の吹出グリル３２ｂから浴室５１内に吹き出す。
【０１２０】
このように、２４時間換気時のイオン連動換気運転モードで、まず、浴室５１内の空気を循環させながら、第２の換気風量で換気動作を行うことで、浴室５１内の湯気や湿気が短時間で排出される。
【０１２１】
２４時間換気時のイオン連動換気運転モードで、循環換気運転を所定時間行うと、制御部７１は、換気ファンモータ２２を停止する。また、循環ファンモータ１５の駆動は継続し、イオン発生器２０ｉで略同数の正イオンと負イオンを発生させる。イオン発生器２０ｉでイオンを発生させると、操作部４１Ａのイオン発生ランプ４４ｄが点灯する。
【０１２２】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１２３】
イオン発生中は、換気ファンモータ２２を停止することで、浴室５１からの換気が停止している。
【０１２４】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１２５】
そして、２４時間換気時のイオン連動換気運転モードで、イオンを発生させると、２４時間換気運転を停止することで浴室５１からの換気が停止され、浴室５１に供給したイオンが排気されること防ぐ。
【０１２６】
２４時間換気時のイオン連動換気運転モードで、イオンの発生を所定時間行うと、制御部７１は、循環ファンモータ１５を停止すると共に、イオン発生器２０ｉでのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０１２７】
また、第１の換気風量で換気ファンモータ２２を駆動して、２４時間換気運転を再開する。
【０１２８】
なお、上述した各イオン連動換気運転モードでは、循環換気運転を行った後に、循環風でイオン発生を行うが、循環を行わない換気運転後に循環風でイオン発生を行うようにしても良い。
【０１２９】
（２−１）イオン連動乾燥運転モードの動作例
操作部４１Ａで設定変更ボタン４３ｂ及び決定ボタン４３ｃが操作され、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０１３０】
イオンの発生を連動させたイオン連動乾燥運転モードが選択されると、制御部７１は、図８（２−１）に示す動作を実行するため、ダンパモータ３１ａを駆動して風路開閉ダンパ３１を開けて所定の開度にし、第２の換気風量で換気ファンモータ２２を駆動すると共に、循環ファンモータ１５を駆動し、かつヒータ２０ｈに通電して、浴室５１や洗濯物等の乾燥運転を行う。
【０１３１】
すなわち、換気ファンモータ２２が駆動されると、換気ファン部１３のファン２１が回転することで、フロントパネル３２の吸込グリル３２ａから浴室５１内の空気が換気ファン部１３に吸い込まれ、屋外グリル４を介して屋外へ排気される。
【０１３２】
また、副吸込口６からトイレ５４等の空気が吸い込まれ、屋外グリル４を介して屋外へ排気される。
【０１３３】
循環ファンモータ１５が駆動されると、循環ファン部１２のファン１４が回転することで、フロントパネル３２の吸込グリル３２ａから浴室５１内の空気が循環ファン部１２に吸い込まれる。
【０１３４】
ヒータ２０ｈが通電されると、循環ファン部１２を通る空気が加熱され、フロントパネル３２の吹出グリル３２ｂから、浴室５１内へ温風が吹き出す。
【０１３５】
このように、イオン連動乾燥運転モードで、まず、浴室５１内の空気を循環させながら温風を吹き出し、第２の換気風量で換気動作を行うことで、浴室５１内の湯気や湿気を排出しながら、ランドリパイプ５５に掛けられた洗濯物等に温風を当てて、洗濯物を短時間で乾燥させることができる。
【０１３６】
イオン連動乾燥運転モードで、乾燥運転を所定時間行うと、制御部７１は、換気ファンモータ２２を停止する。また、ヒータ２０ｈの通電は停止して循環ファンモータ１５の駆動は継続し、イオン発生器２０ｉで略同数の正イオンと負イオンを発生させる。イオン発生器２０ｉでイオンを発生させると、操作部４１Ａの標準モードランプ４４ｃは消灯させ、クリーンモードランプ４４ｂとイオン発生ランプ４４ｄが点灯する。
【０１３７】
なお、操作部４１Ａで標準モードランプ４４ｃが消灯し、クリーンモードランプ４４ｂとイオン発生ランプ４４ｄが点灯することで、ユーザは、乾燥運転からイオンが発生する運転に切り替わったことを認識できる。
【０１３８】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１３９】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１４０】
そして、イオン連動乾燥運転モードで、イオンを発生させている間は、換気動作を停止することで、浴室５１に供給したイオンが排気されること防ぐ。
【０１４１】
イオン連動乾燥運転モードで、イオンの発生を所定時間行うと、制御部７１は、循環ファンモータ１５を停止すると共に、イオン発生器２０ｉでのイオンの発生を停止し、イオン連動乾燥運転モードを終了する。イオン連動乾燥運転モードを終了すると、操作部４１Ａのクリーンモードランプ４４ｂ及びイオン発生ランプ４４ｄを消灯する。
【０１４２】
なお、イオン連動乾燥運転モードでの乾燥運転の時間とイオン発生の時間は、予め決められていても良いし、ユーザが設定できるようにしても良い。例えば、イオン連動乾燥運転モードの設定時間をユーザが例えば３時間と設定すると、乾燥運転を３時間行った後、所定時間、例えば１時間イオンを発生させるようにしても良く、あるいは、イオン連動乾燥運転モードが３時間と設定されると、その中の２時間は乾燥運転を行い、残り１時間はイオンを発生させるようにしても良い。
【０１４３】
なお、イオン連動乾燥運転モードの設定時間は、本モードに適した初期値（例えば３時間）が設定されており、その値（例えば３時間）は、変更されるまでメモリ７１ａ等に記憶され、また、値を変更した場合も、その変更した値（例えば４時間）がメモリ７１ａ等に記憶されるようになっており、その都度ユーザが、設定時間を設定し直す必要がないようにすることができる。なお、上述した初期値は、各種運転モードに応じた値として設定されている。
【０１４４】
更に、イオンを発生する所定時間をユーザが設定できるようにしても良く、その場合に設定した時間は、変更されるまでメモリ７１ａ等に記憶され、また、変更した値も変更の都度メモリ７１ａ等に記憶されるようにし、ユーザがその都度イオン発生時間の設定をし直す必要がないようにすることができる。
【０１４５】
（２−２）２４時間換気時のイオン連動乾燥運転モードの動作例
操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０１４６】
イオンの発生を連動させたイオン連動乾燥運転モードが選択されると、制御部７１は、図８（２−２）に示す動作を実行するため、第１の換気風量を第２の換気風量に切り替えて換気ファンモータ２２を駆動すると共に、循環ファンモータ１５を駆動し、かつヒータ２０ｈに通電して、浴室５１や洗濯物等の乾燥運転を行う。
【０１４７】
２４時間換気時のイオン連動乾燥運転モードでは、換気ファンモータ２２の駆動が継続されることで、フロントパネル３２の吸込グリル３２ａから浴室５１内の空気が換気ファン部１３に吸い込まれ、屋外グリル４を介して屋外へ排気される。
【０１４８】
また、副吸込口６からトイレ５４等の空気が吸い込まれ、屋外グリル４を介して屋外へ排気される。
【０１４９】
循環ファンモータ１５が駆動されると、循環ファン部１２のファン１４が回転することで、フロントパネル３２の吸込グリル３２ａから浴室５１内の空気が循環ファン部１２に吸い込まれる。
【０１５０】
ヒータ２０ｈが通電されると、循環ファン部１２を通る空気が加熱され、フロントパネル３２の吹出グリル３２ｂから、浴室５１内へ温風が吹き出す。
【０１５１】
このように、２４時間換気時のイオン連動乾燥運転モードで、まず、浴室５１内の空気を循環させながら温風を吹き出し、第２の換気風量で換気動作を行うことで、浴室５１内の湯気や湿気を排出しながら、ランドリパイプ５５に掛けられた洗濯物等に温風を当てて、洗濯物を短時間で乾燥させることができる。
【０１５２】
２４時間換気時のイオン連動乾燥運転モードで、乾燥運転を所定時間行うと、制御部７１は、第２の換気風量から第１の換気風量に切り替えて換気ファンモータ２２を駆動する。また、ヒータ２０ｈの通電は停止して循環ファンモータ１５の駆動は継続し、イオン発生器２０ｉで略同数の正イオンと負イオンを発生させる。イオン発生器２０ｉでイオンを発生させると、操作部４１Ａの標準モードランプ４４ｃは消灯させ、クリーンモードランプ４４ｂとイオン発生ランプ４４ｄが点灯する。
【０１５３】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１５４】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１５５】
そして、２４時間換気時のイオン連動乾燥運転モードで、イオンを発生させると、浴室５１からの換気風量を低下させることで、浴室５１に供給したイオンが排気されること抑えると共に、湿気は排出し、かつ、２４時間換気に必要な換気風量が常時得られるようにする。
【０１５６】
２４時間換気時のイオン連動乾燥運転モードで、イオンの発生を所定時間行うと、制御部７１は、循環ファンモータ１５を停止すると共に、イオン発生器２０ｉでのイオンの発生を停止し、イオン連動乾燥運転モードを終了する。イオン連動乾燥運転モードを終了すると、操作部４１Ａのクリーンモードランプ４４ｂ及びイオン発生ランプ４４ｄを消灯する。
【０１５７】
（２−３）２４時間換気時のイオン連動乾燥運転モードの変形例
２４時間換気時のイオン連動乾燥運転モードでは、イオンを発生する運転中は、浴室５１からの換気は停止させるようにしてもよい。
【０１５８】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０１５９】
イオンの発生を連動させたイオン連動乾燥運転モードが選択されると、制御部７１は、図８（２−３）に示す動作を実行するため、第１の換気風量を第２の換気風量に切り替えて換気ファンモータ２２を駆動すると共に、循環ファンモータ１５を駆動し、かつヒータ２０ｈに通電して、浴室５１や洗濯物等の乾燥運転を行う。
【０１６０】
２４時間換気時のイオン連動乾燥運転モードでは、換気ファンモータ２２の駆動が継続されることで、フロントパネル３２の吸込グリル３２ａから浴室５１内の空気が換気ファン部１３に吸い込まれ、屋外グリル４を介して屋外へ排気される。
【０１６１】
また、副吸込口６からトイレ５４等の空気が吸い込まれ、屋外グリル４を介して屋外へ排気される。
【０１６２】
循環ファンモータ１５が駆動されると、循環ファン部１２のファン１４が回転することで、フロントパネル３２の吸込グリル３２ａから浴室５１内の空気が循環ファン部１２に吸い込まれる。
【０１６３】
ヒータ２０ｈが通電されると、循環ファン部１２を通る空気が加熱され、フロントパネル３２の吹出グリル３２ｂから、浴室５１内へ温風が吹き出す。
【０１６４】
このように、２４時間換気時のイオン連動乾燥運転モードで、まず、浴室５１内の空気を循環させながら温風を吹き出し、第２の換気風量で換気動作を行うことで、浴室５１内の湯気や湿気を排出しながら、ランドリパイプ５５に掛けられた洗濯物等に温風を当てて、洗濯物を短時間で乾燥させることができる。
【０１６５】
２４時間換気時のイオン連動乾燥運転モードで、乾燥運転を所定時間行うと、制御部７１は、第２の換気風量から第１の換気風量に切り替えて換気ファンモータ２２を駆動すると共に、ダンパモータ３１ａを駆動して風路開閉ダンパ３１を閉じる。また、ヒータ２０ｈの通電は停止して循環ファンモータ１５の駆動は継続し、イオン発生器２０ｉで略同数の正イオンと負イオンを発生させる。イオン発生器２０ｉでイオンを発生させると、操作部４１Ａの標準モードランプ４４ｃは消灯させ、クリーンモードランプ４４ｂとイオン発生ランプ４４ｄが点灯する。
【０１６６】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１６７】
イオン発生中は、風路開閉ダンパ３１を閉じることで、換気ファン部１３が動作していても、浴室５１からの換気は停止している。
【０１６８】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１６９】
そして、２４時間換気時のイオン連動乾燥運転モードで、イオンを発生させると、浴室５１からの換気を中断することで、浴室５１に供給したイオンが排気されること防ぐと共に、２４時間換気に必要な換気風量が他室から得られるようにする。
【０１７０】
２４時間換気時のイオン連動乾燥運転モードで、イオンの発生を所定時間行うと、制御部７１は、循環ファンモータ１５を停止すると共に、イオン発生器２０ｉでのイオンの発生を停止し、イオン連動乾燥運転モードを終了する。イオン連動乾燥運転モードを終了すると、操作部４１Ａのクリーンモードランプ４４ｂ及びイオン発生ランプ４４ｄを消灯する。
【０１７１】
また、ダンパモータ３１ａを駆動して風路開閉ダンパ３１を開け、浴室５１からの換気を再開する。
【０１７２】
（２−４）２４時間換気時のイオン連動乾燥運転モードの他の変形例
２４時間換気時のイオン連動乾燥運転モードでも、イオンを発生する運転中は、２４時間換気運転を停止させるようにしてもよい。
【０１７３】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０１７４】
イオンの発生を連動させたイオン連動乾燥運転モードが選択されると、制御部７１は、図８（２−４）に示す動作を実行するため、第１の換気風量を第２の換気風量に切り替えて換気ファンモータ２２を駆動すると共に、循環ファンモータ１５を駆動し、かつヒータ２０ｈに通電して、浴室５１や洗濯物等の乾燥運転を行う。
【０１７５】
２４時間換気時のイオン連動乾燥運転モードでは、換気ファンモータ２２の駆動が継続されることで、フロントパネル３２の吸込グリル３２ａから浴室５１内の空気が換気ファン部１３に吸い込まれ、屋外グリル４を介して屋外へ排気される。
【０１７６】
また、副吸込口６からトイレ５４等の空気が吸い込まれ、屋外グリル４を介して屋外へ排気される。
【０１７７】
循環ファンモータ１５が駆動されると、循環ファン部１２のファン１４が回転することで、フロントパネル３２の吸込グリル３２ａから浴室５１内の空気が循環ファン部１２に吸い込まれる。
【０１７８】
ヒータ２０ｈが通電されると、循環ファン部１２を通る空気が加熱され、フロントパネル３２の吹出グリル３２ｂから、浴室５１内へ温風が吹き出す。
【０１７９】
このように、２４時間換気時のイオン連動乾燥運転モードで、まず、浴室５１内の空気を循環させながら温風を吹き出し、第２の換気風量で換気動作を行うことで、浴室５１内の湯気や湿気を排出しながら、ランドリパイプ５５に掛けられた洗濯物等に温風を当てて、洗濯物を短時間で乾燥させることができる。
【０１８０】
２４時間換気時のイオン連動乾燥運転モードで、乾燥運転を所定時間行うと、制御部７１は、換気ファンモータ２２を停止する。また、ヒータ２０ｈの通電は停止して循環ファンモータ１５の駆動は継続し、イオン発生器２０ｉで略同数の正イオンと負イオンを発生させる。イオン発生器２０ｉでイオンを発生させると、操作部４１Ａの標準モードランプ４４ｃは消灯させ、クリーンモードランプ４４ｂとイオン発生ランプ４４ｄが点灯する。
【０１８１】
循環ファン部１２のファン１４を回転させて、イオン発生器２０ｉで正イオンと負イオンの双方を発生させると、浴室５１から吸い込んだ空気に略同数の正イオンと負イオンが供給され、フロントパネル３２の吹出グリル３２ｂから浴室５１へと送風される。
【０１８２】
イオン発生中は、換気ファンモータ２２を停止することで、浴室５１からの換気が停止している。
【０１８３】
このように、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０１８４】
そして、２４時間換気時のイオン連動乾燥運転モードで、イオンを発生させると、２４時間換気運転を停止することで浴室５１からの換気が停止され、浴室５１に供給したイオンが排気されること防ぐ。
【０１８５】
２４時間換気時のイオン連動乾燥運転モードで、イオンの発生を所定時間行うと、制御部７１は、循環ファンモータ１５を停止すると共に、イオン発生器２０ｉでのイオンの発生を停止し、イオン連動乾燥運転モードを終了する。イオン連動乾燥運転モードを終了すると、操作部４１Ａのクリーンモードランプ４４ｂ及びイオン発生ランプ４４ｄを消灯する。
【０１８６】
また、第１の換気風量で換気ファンモータ２２を駆動して、２４時間換気運転を再開する。
【０１８７】
＜第２の実施の形態の空調装置の構成例＞
図９は、第２の実施の形態の空調装置の一例を示す構成図である。第２の実施の形態の空調装置１Ｂは、浴室暖房換気乾燥機等と称され、第１室としての例えば浴室５１の天井に設置される。空調装置１Ｂは、浴室５１に隣接した洗面脱衣所５２の壁面に操作部４１Ａが設置され、操作部４１Ａが操作されることで、実行すべき運転モードが選択される。
【０１８８】
空調装置１Ｂで実行される運転モードとしては、浴室５１の暖房を行う暖房運転モードと、浴室５１で洗濯物等の乾燥を行う乾燥運転モードと、浴室５１の換気を行う換気運転モードと、浴室５１に送風を行う涼風運転モードと、図示しない建物の換気を常時行う２４時間換気運転モード等を有し、操作部４１Ａの操作でこれら各運転モードが選択される。
【０１８９】
図１０は、第２の実施の形態の空調装置の一例を示す構成図であり、次に、空調装置１Ｂの構成及び動作例について説明する。
【０１９０】
空調装置１Ｂは、図９に示す浴室５１から空気を吸い込んで吹き出すファン部８０と、ファン部８０から吹き出される空気を浴室５１に吹き出すか、排気するかを切り替える風路切換部８１と、浴室５１へ吹き出す空気を加熱するヒータ８２とを備える。
【０１９１】
ファン部８０は送風手段の一例で、回転駆動される多翼のファン８３と、ファン８３を回転駆動するファンモータ８３ａと、風路を形成するファンケース８４を備える。
【０１９２】
空調装置１Ｂは、ファン８３の軸方向に沿ったファンケース８４の下面にファン吸込口８４ａを備え、ファンケース８４は、ファン８３が回転駆動されることでファン吸込口８４ａから吸い込んだ空気を、ファン８３の接線方向に吹き出す風路を形成する。
【０１９３】
風路切換部８１は、風路を切り換えるダンパ８５を備える。ダンパ８５は風路切換手段の一例で、後述するダンパモータの駆動力がカム８５ａを介して伝達され、軸８５ｂを支点に回転して開閉動作を行う。
【０１９４】
空調装置１Ｂは、風路切換部８１の下方に吹出口８６ａを備えると共に、風路切換部８１の側方に排気口８６ｂを備え、ダンパ８５を図１０（ａ）に示す循環位置とすると、排気口８６ｂへの風路が遮断され、ファン吸込口８４ａから吹出口８６ａへ連通した循環風路８１ａが形成される。
【０１９５】
また、ダンパ８５を図１０（ｂ）に示す換気位置とすると、吹出口８６ａへの風路が遮断され、ファン吸込口８４ａから排気口８６ｂへ連通した換気風路８１ｂが形成される。
【０１９６】
更に、ダンパ８５を図１０（ｃ）に実線で示す第１の分流位置または破線で示す第２の分流位置とすると、ファン吸込口８４ａから吹出口８６ａへ連通した循環風路８１ａと、ファン吸込口８４ａから排気口８６ｂへ連通した換気風路８１ｂの双方が形成される。
【０１９７】
ここで、ダンパ８５を第１の分流位置にした場合と第２の分流位置にした場合では、換気風路８１ｂを通る風量が異なり、ダンパ８５を第２の分流位置にした場合に換気風路８１ｂを通る第２の風量は、ダンパ８５を第１の分流位置とした場合に換気風路８１ｂを通る第１の風量より少なくなるようにしている。
【０１９８】
ヒータ８２は加熱手段の一例で、吹出口８６ａにＰＴＣヒータ等の電気ヒータを備えて構成される。なお、吹出口８６ａに、図４で説明したような風向を切り換える電動の吹出ルーバを備える構成としても良い。
【０１９９】
空調装置１Ｂは、ヒータ８２の上流側にイオン発生器８８を備える。イオン発生器８８はイオン発生手段の一例で、ファンケース８４により形成される風路にイオン放出面が露出し、正イオンと負イオンの両方あるいは負イオンを発生する。
【０２００】
空調装置１Ｂは、下面にフロントパネル８７を備える。フロントパネル８７は、空調装置１Ｂに着脱できるように構成され、ファン吸込口８４ａとつながる吸込グリル８７ａを備えると共に、吹出口８６ａとつながる吹出グリル８７ｂを備える。また、フロントパネル８７は、吸込グリル８７ａの裏側に図示しないフィルタが交換可能に取り付けられる。
【０２０１】
また、空調装置１Ｂは、排気口８６ｂに排気ダクトジョイント８９を備える。
【０２０２】
次に、空調装置１Ｂの動作について説明する。空調装置１Ｂは、ファンモータ８３ａによりファン８３が回転駆動されると、フロントパネル８７の吸込グリル８７ａからファン吸込口８４ａに空気が吸い込まれる。
【０２０３】
ダンパ８５の位置が図１０（ａ）に示す循環位置であると、ファン吸込口８４ａから吹出口８６ａへの循環風路８１ａが形成されるので、吸込グリル８７ａから吸い込まれた空気は、循環風路８１ａを通ってフロントパネル８７の吹出グリル８７ｂから吹き出される。
【０２０４】
ヒータ８２は、循環風路８１ａの吹出口８６ａに配置されるので、ヒータ８２が通電されることで、循環風路８１ａを通る空気が温められて、温風が吹出グリル８７ｂから吹き出す。
【０２０５】
これにより、ダンパ８５を循環位置として、ファン部８０が駆動されると、ヒータ８２に通電した場合は、図９に示す浴室５１内の空気を循環させながら、浴室５１内に温風が吹き出される。
【０２０６】
ダンパ８５の位置が図１０（ｂ）に示す換気位置であると、ファン吸込口８４ａから排気口８６ｂへの換気風路８１ｂが形成されるので、フロントパネル８７の吸込グリル８７ａから吸い込まれた空気は、換気風路８１ｂを通って排気口８６ｂから排気される。
【０２０７】
これにより、ダンパ８５を換気位置として、ファン部８０が駆動されると、浴室５１内の湯気や湿気が排気される。
【０２０８】
ダンパ８５の位置が図１０（ｃ）に実線で示す第１の分流位置または破線で示す第２の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気は、一部は循環風路８１ａを通って吹出グリル８７ｂから浴室５１内に吹き出される。
【０２０９】
また、吸込グリル８７ａから吸い込まれた空気の残部は、換気風路８１ｂを通って排気口８６ｂから排気される。
【０２１０】
これにより、ダンパ８５を第１の分流位置または第２の分流位置として、ファン部８０が駆動されると、ヒータ８２が非通電の場合は、浴室５１内の空気を循環させながら、浴室５１内の湯気や湿気が排気される。
【０２１１】
また、ヒータ８２に通電した場合は、浴室５１内の空気を循環させて浴室５１内に温風を吹き出しながら、浴室５１内の湯気や湿気が排気される。
【０２１２】
次に、図９を参照にして空調装置１Ｂの設置例について説明する。空調装置１Ｂは、浴室５１の天井に設置される。浴室５１の天井パネルには、空調装置１Ｂの本体が入る開口部が形成され、空調装置１Ｂは、フロントパネル８７が露出するようにして、天井裏から吊り下げる形態、あるいは天井パネルに固定する形態等で設置される。
【０２１３】
浴室５１の天井に取り付けられた空調装置１Ｂは、図１０に示す排気ダクトジョイント８９に排気ダクト３が接続される。排気ダクト３は、図示しない建物の外壁５３に取り付けた屋外グリル４に接続され、空調装置１Ｂで浴室５１等から吸い込んだ空気を、排気ダクト３を介して屋外に排気できる構成となっている。
【０２１４】
空調装置１Ｂは、洗濯物等の被乾燥物を乾燥させる機能を備えるので、浴室５１には洗濯物等を掛けるランドリパイプ５５を備える。ここで、空調装置１Ｂの吹出グリル８７ｂから吹き出す空気が、浴槽５１ａから出て洗い場５１ｂに居る入浴者に直接当たると、体が濡れている場合等に寒さを感じることがある。このため、吹き出し方向がランドリパイプ５５側に向くように、例えば図４で説明した電動ルーバにより風向が初期設定される。
【０２１５】
浴室５１の入口には浴室ドア５６を備える。浴室ドア５６は空気取入口（ガラリ）５６ａを備え、浴室５１に隣接した洗面所脱衣所５２等から他室の空気を浴室５１内に取り込めるようになっている。
【０２１６】
＜第２の本実施の形態の空調装置の制御機能例＞
図１１は、空調装置１Ｂの制御系の一例を示す機能ブロック図である。空調装置１Ｂは、ＣＰＵやＥＥＰＲＯＭ等の不揮発性のメモリ７２ａ等を有した制御部７２に、例えば図６で説明したような操作部４１Ａと、図１０で説明したファンモータ８３ａと、ダンパ８５を駆動するダンパモータ８５ｃと、ヒータ８２と、イオン発生器８８等が接続される。
【０２１７】
制御部７２は制御手段の一例で、メモリ７２ａ等に格納されたプログラムに従って、本例では、暖房運転を行う暖房運転モード、換気運転を行う換気運転モード、乾燥運転を行う乾燥運転モード、涼風運転を行う涼風運転モード及び２４時間換気運転を行う２４時間換気運転モードを実行する。
【０２１８】
換気運転モードと乾燥運転モードでは、イオンの発生を連動させるか否かの設定がメモリ７２ａに格納され、制御部７２は、メモリ７２ａに格納された設定に応じて、イオンの発生を連動させた換気運転モードと乾燥運転モードを実行する。
【０２１９】
また、換気風量を例えば２段階に切り替えられるように、ファンモータ８３ａの回転数やダンパ８５の開度が設定され、これら情報が例えばメモリ７２ａに格納される。
【０２２０】
＜第２の実施の形態の空調装置の動作例＞
図１２及び図１３は、第２の実施の形態の空調装置１Ｂの動作例を示すタイミングチャートで、次に、空調装置１Ｂにおいてイオンの発生を連動させる運転モードの動作例について各図を参照して説明する。
【０２２１】
（３−１）イオン連動換気運転モードの動作例
操作部４１Ａで設定変更ボタン４３ｂ及び決定ボタン４３ｃが操作され、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【０２２２】
イオンの発生を連動させたイオン連動換気運転モードが選択されると、制御部７２は、図１２（３−１）に示す動作を実行するため、ダンパモータ８５ｃを駆動してダンパ８５を第１の分流位置にすると共に、ファンモータ８３ａを駆動して、浴室５１の循環換気運転を行う。
【０２２３】
すなわち、空調装置１Ｂは、ファンモータ８３ａによりファン８３が回転駆動されると、フロントパネル８７の吸込グリル８７ａから浴室５１の空気がファン吸込口８４ａに吸い込まれる。なお、空調装置１Ｂで浴室５１の空気が吸い込まれると、浴室ドア５６の空気取入口５６ａから洗面所脱衣所５２の空気が浴室５１に取り込まれる。
【０２２４】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０２２５】
また、吸込グリル８７ａから吸い込まれた空気の残部は、循環風路８１ａを通って吹出グリル８７ｂから浴室５１内に吹き出される。イオン連動換気運転モードでは、ヒータ８２に通電されていないので、吹出グリル８７ｂから、浴室５１内の温度に応じた風が吹き出す。
【０２２６】
このように、イオン連動換気運転モードで、まず、浴室５１内の空気を循環させながら、第１の量の空気を排気して換気動作を行うことで、浴室５１内の湯気や湿気が短時間で排出される。
【０２２７】
イオン連動換気運転モードで、循環換気運転を所定時間行うと、制御部７２は、ダンパモータ８５ｃを駆動してダンパ８５を循環位置にすると共に、ファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。なお、操作部４１Ａでイオン発生ランプ４４ｄが点灯することで、ユーザは、イオンが発生する運転に切り替わったことを認識できる。
【０２２８】
ダンパ８５の位置が図１０（ａ）に示す循環位置であると、ファン吸込口８４ａから吹出口８６ａへの循環風路８１ａが形成されるので、ファンモータ８３ａによりファン８３が回転駆動され、吸込グリル８７ａから吸い込まれた空気は、循環風路８１ａを通ってフロントパネル８７の吹出グリル８７ｂから吹き出される。
【０２２９】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０２３０】
このように、イオン連動換気運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０２３１】
そして、イオン連動換気運転モードで、イオンを発生させている間は、ダンパ８５を循環位置として換気動作を停止することで、浴室５１に供給したイオンが排気されること防ぐ。
【０２３２】
イオン連動換気運転モードで、イオンの発生を所定時間行うと、制御部７２は、ファンモータ３３ａを停止すると共に、イオン発生器８８でのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０２３３】
なお、イオン連動換気運転モードでの循環換気運転の時間とイオン発生の時間は、予め決められていても良いし、ユーザが設定できるようにしても良い。例えば、イオン連動換気運転モードの設定時間をユーザが例えば３時間と設定すると、循環換気運転を３時間行った後、所定時間、例えば１時間イオンを発生させるようにしても良く、あるいは、イオン連動換気運転モードが３時間と設定されると、その中の２時間は循環換気運転を行い、残り１時間はイオンを発生させるようにしても良い。
【０２３４】
なお、イオン連動換気運転モードの設定時間は、本モードに適した初期値（例えば３時間）が設定されており、その値（例えば３時間）は、変更されるまでメモリ７２ａ等に記憶され、また、値を変更した場合も、その変更した値（例えば４時間）がメモリ７２ａ等に記憶されるようになっており、その都度ユーザが、設定時間を設定し直す必要がないようにすることができる。なお、上述した初期値は、各種運転モードに応じた値として設定されている。
【０２３５】
更に、イオンを発生する所定時間をユーザが設定できるようにしても良く、その場合に設定した時間は、変更されるまでメモリ７２ａ等に記憶され、また、変更した値も変更の都度メモリ７２ａ等に記憶されるようにし、ユーザがその都度イオン発生時間の設定をし直す必要がないようにすることができる。
【０２３６】
（３−２）２４時間換気時のイオン連動換気運転モードの動作例
操作部４１Ａで２４時間換気運転選択ボタン４２ａが押されると、制御部７２は、ダンパモータ８５ｃを駆動してダンパ８５を換気位置にすると共に、ファンモータ８３ａを駆動して、浴室５１の換気運転を行う。
【０２３７】
すなわち、空調装置１Ｂは、ファンモータ８３ａによりファン８３が回転駆動されると、フロントパネル８７の吸込グリル８７ａからファン吸込口８４ａに空気が吸い込まれる。
【０２３８】
ダンパ８５の位置が図１０（ｂ）に示す換気位置であると、ファン吸込口８４ａから排気口８６ｂへの換気風路８１ｂが形成されるので、フロントパネル８７の吸込グリル８７ａから吸い込まれた空気は、換気風路８１ｂを通って排気口８６ｂから排気される。そして、排気ダクトジョイント８９に接続された排気ダクト３から、屋外グリル４を介して屋外へ排気される。
【０２３９】
このように、所定の換気風量で常時換気を行うと、浴室５１及び浴室５１が設置された図示しない建物全体の空気が所定時間で入れ替えられる。
【０２４０】
２４時間換気運転モードが実行され、かつ、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【０２４１】
イオンの発生を連動させたイオン連動換気運転モードが選択されると、制御部７２は、図１２（３−２）に示す動作を実行するため、ダンパモータ８５ｃを駆動してダンパ８５を第１の分流位置にすると共に、ダンパ８５を第１の分流位置にすることで換気風路８１ｂが狭くなることによる換気風量の減少分を補うため、ファン８３の回転数が標準の回転数より高くなるように回転数を上げてファンモータ８３ａを駆動して、浴室５１の循環換気運転を行う。
【０２４２】
２４時間換気時のイオン連動換気運転モードでは、ファンモータ８３ａの駆動が継続されることで、フロントパネル８７の吸込グリル８７ａから浴室５１の空気がファン吸込口８４ａに吸い込まれる。
【０２４３】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０２４４】
また、吸込グリル８７ａから吸い込まれた空気の残部は、循環風路８１ａを通って吹出グリル８７ｂから浴室５１内に吹き出される。２４時間換気時のイオン連動換気運転モードでも、ヒータ８２に通電されていないので、吹出グリル８７ｂから、浴室５１内の温度に応じた風が吹き出す。
【０２４５】
このように、２４時間換気時のイオン連動換気運転モードで、まず、浴室５１内の空気を循環させながら、第１の量の空気を排気して換気動作を行うことで、浴室５１内の湯気や湿気が短時間で排出される。
【０２４６】
２４時間換気時のイオン連動換気運転モードで、上述したような所定時間、循環換気運転を行うと、制御部７２は、ダンパモータ８５ｃを駆動してダンパ８５を第２の分流位置にすると共に、ファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。
【０２４７】
ダンパ８５の位置が図１０（ｃ）に破線で示す第２の分流位置であると、ファン吸込口８４ａから吹出口８６ａへの循環風路８１ａと、ファン吸込口８４ａから排気口８６ｂへの換気風路８１ｂの双方が形成され、かつ、換気風路８１ｂが狭められるので、フロントパネル８７の吸込グリル８７ａから吸い込まれた空気の第１の量より少ない第２の量は、換気風路８１ｂを通って排気口８６ｂから排気される。そして、排気ダクトジョイント８９に接続された排気ダクト３から、屋外グリル４を介して屋外へ排気される。
【０２４８】
また、吸込グリル８７ａから吸い込まれた空気の残部は、循環風路８１ａを通って吹出グリル８７ｂから浴室５１内に吹き出される。
【０２４９】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０２５０】
このように、２４時間換気時のイオン連動換気運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０２５１】
そして、２４時間換気時のイオン連動換気運転モードで、イオンを発生させると、浴室５１からの換気風量を低下させることで、浴室５１に供給したイオンが排気されること抑えると共に、湿気は排出し、かつ、２４時間換気に必要な換気風量が常時得られるようにする。
【０２５２】
２４時間換気時のイオン連動換気運転モードで、上述したような所定時間、イオンの発生を行うと、制御部７２は、イオン発生器８８でのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０２５３】
また、制御部７２は、ファンモータ３３ａを標準の回転数に戻すと共に、ダンパモータ８５ｃを駆動してダンパ８５を換気位置として、２４時間換気運転を継続する。
【０２５４】
なお、２４時間換気時のイオン連動換気運転モードで、イオンの発生中は、ファンモータ８３ａの回転数を制御して、換気風量を調整しても良い。
【０２５５】
（３−３）２４時間換気時のイオン連動換気運転モードの変形例
２４時間換気時のイオン連動換気運転モードでは、イオンを発生する運転中は、浴室５１からの換気を停止して、２４時間換気運転を中断させるようにしてもよい。
【０２５６】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで換気運転選択ボタン４２ｂを所定回数押して、クリーンモードランプ４４ｂを点灯させると、イオンの発生を連動させた換気運転モードが選択される。
【０２５７】
イオンの発生を連動させたイオン連動換気運転モードが選択されると、制御部７２は、図１２（３−３）に示す動作を実行するため、ダンパモータ８５ｃを駆動してダンパ８５を第１の分流位置にすると共に、ダンパ８５を第１の分流位置にすることで換気風路８１ｂが狭くなることによる換気風量の減少分を補うため、回転数を上げてファンモータ８３ａを駆動して、浴室５１の循環換気運転を行う。
【０２５８】
２４時間換気時のイオン連動換気運転モードでは、ファンモータ８３ａの駆動が継続されることで、フロントパネル８７の吸込グリル８７ａから浴室５１の空気がファン吸込口８４ａに吸い込まれる。
【０２５９】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０２６０】
また、吸込グリル８７ａから吸い込まれた空気の残部は、循環風路８１ａを通って吹出グリル８７ｂから浴室５１内に吹き出される。２４時間換気時のイオン連動換気運転モードでも、ヒータ８２に通電されていないので、吹出グリル８７ｂから、浴室５１内の温度に応じた風が吹き出す。
【０２６１】
このように、２４時間換気時のイオン連動換気運転モードで、まず、浴室５１内の空気を循環させながら、第１の量の空気を排気して換気動作を行うことで、浴室５１内の湯気や湿気が短時間で排出される。
【０２６２】
２４時間換気時のイオン連動換気運転モードで、上述したような所定時間、循環換気運転を行うと、制御部７２は、ダンパモータ８５ｃを駆動してダンパ８５を循環位置にすると共に、ファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。
【０２６３】
ダンパ８５の位置が図１０（ａ）に示す循環位置であると、ファン吸込口８４ａから吹出口８６ａへの循環風路８１ａが形成されるので、ファンモータ８３ａによりファン８３が回転駆動され、吸込グリル８７ａから吸い込まれた空気は、循環風路８１ａを通ってフロントパネル８７の吹出グリル８７ｂから吹き出される。
【０２６４】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０２６５】
このように、２４時間換気時のイオン連動換気運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０２６６】
そして、２４時間換気時のイオン連動換気運転モードで、イオンを発生させている間は、ダンパ８５を循環位置として２４時間換気運転を中断することで、浴室５１に供給したイオンが排気されること防ぐ。
【０２６７】
２４時間換気時のイオン連動換気運転モードで、上述したような所定時間、イオンの発生を行うと、制御部７２は、イオン発生器８８でのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０２６８】
また、制御部７２は、ファンモータ３３ａを標準の回転数に戻すと共に、ダンパモータ８５ｃを駆動してダンパ８５を換気位置として、２４時間換気運転を再開する。
【０２６９】
（４−１）イオン連動乾燥運転モードの動作例
操作部４１Ａで設定変更ボタン４３ｂ及び決定ボタン４３ｃが操作され、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０２７０】
イオンの発生を連動させたイオン連動乾燥運転モードが選択されると、制御部７２は、図１３（４−１）に示す動作を実行するため、ダンパモータ８５ｃを駆動してダンパ８５を第１の分流位置にすると共に、ファンモータ８３ａを駆動し、かつ、ヒータ８２に通電して、浴室５１や洗濯物等の乾燥運転を行う。
【０２７１】
すなわち、空調装置１Ｂは、ファンモータ８３ａによりファン８３が回転駆動されると、フロントパネル８７の吸込グリル８７ａから浴室５１の空気がファン吸込口８４ａに吸い込まれる。なお、空調装置１Ｂで浴室５１の空気が吸い込まれると、浴室ドア５６の空気取入口５６ａから洗面所脱衣所５２の空気が浴室５１に取り込まれる。
【０２７２】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０２７３】
また、吸込グリル８７ａから吸い込まれた空気の残部は、循環風路８１ａを通って吹出グリル８７ｂから浴室５１内に吹き出される。
【０２７４】
ヒータ８２は、循環風路８１ａの吹出口８６ａに配置されるので、ヒータ８２が通電されることで、循環風路８１ａを通る空気が温められて、温風が吹出グリル８７ｂから吹き出す。
【０２７５】
このように、イオン連動乾燥運転モードで、まず、浴室５１内の空気を循環させながら温風を吹き出し、第１の量の空気を排気して換気動作を行うことで、浴室５１内の湯気や湿気を排出しながら、ランドリパイプ５５に掛けられた洗濯物等に温風を当てて、洗濯物等を短時間で乾燥させることができる。
【０２７６】
イオン連動乾燥運転モードで、乾燥運転を所定時間行うと、制御部７２は、ダンパモータ８５ｃを駆動してダンパ８５を循環位置にすると共に、ヒータ８２の通電は停止してファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。
【０２７７】
ダンパ８５の位置が図１０（ａ）に示す循環位置であると、ファン吸込口８４ａから吹出口８６ａへの循環風路８１ａが形成されるので、ファンモータ８３ａによりファン８３が回転駆動され、吸込グリル８７ａから吸い込まれた空気は、循環風路８１ａを通ってフロントパネル８７の吹出グリル８７ｂから吹き出される。
【０２７８】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０２７９】
このように、イオン連動乾燥運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０２８０】
そして、イオン連動乾燥運転モードで、イオンを発生させている間は、ダンパ８５を循環位置として換気動作を停止することで、浴室５１に供給したイオンが排気されること防ぐ。
【０２８１】
イオン連動乾燥運転モードで、イオンの発生を所定時間行うと、制御部７２は、ファンモータ３３ａを停止すると共に、イオン発生器８８でのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０２８２】
なお、イオン連動乾燥運転モードでも、乾燥運転の時間とイオン発生の時間は、予め決められていても良いし、ユーザが設定できるようにしても良い。例えば、イオン連動乾燥運転モードの設定時間をユーザが例えば３時間と設定すると、乾燥運転を３時間行った後、所定時間、例えば１時間イオンを発生させるようにしても良く、あるいは、イオン連動乾燥運転モードが３時間と設定されると、その中の２時間は乾燥運転を行い、残り１時間はイオンを発生させるようにしても良い。
【０２８３】
なお、イオン連動乾燥運転モードの設定時間は、本モードに適した初期値（例えば３時間）が設定されており、その値（例えば３時間）は、変更されるまでメモリ７２ａ等に記憶され、また、値を変更した場合も、その変更した値（例えば４時間）がメモリ７２ａ等に記憶されるようになっており、その都度ユーザが、設定時間を設定し直す必要がないようにすることができる。なお、上述した初期値は、各種運転モードに応じた値として設定されている。
【０２８４】
更に、イオンを発生する所定時間をユーザが設定できるようにしても良く、その場合に設定した時間は、変更されるまでメモリ７２ａ等に記憶され、また、変更した値も変更の都度メモリ７２ａ等に記憶されるようにし、ユーザがその都度イオン発生時間の設定をし直す必要がないようにすることができる。
【０２８５】
（４−２）２４時間換気時のイオン連動乾燥運転モードの動作例
操作部４１Ａで２４時間換気運転選択ボタン４２ａが押されると、制御部７２は、ダンパモータ８５ｃを駆動してダンパ８５を換気位置にすると共に、ファンモータ８３ａを駆動して、浴室５１の換気運転を行う。
【０２８６】
すなわち、空調装置１Ｂは、ファンモータ８３ａによりファン８３が回転駆動されると、フロントパネル８７の吸込グリル８７ａからファン吸込口８４ａに空気が吸い込まれる。
【０２８７】
ダンパ８５の位置が図１０（ｂ）に示す換気位置であると、ファン吸込口８４ａから排気口８６ｂへの換気風路８１ｂが形成されるので、フロントパネル８７の吸込グリル８７ａから吸い込まれた空気は、換気風路８１ｂを通って排気口８６ｂから排気される。そして、排気ダクトジョイント８９に接続された排気ダクト３から、屋外グリル４を介して屋外へ排気される。
【０２８８】
このように、所定の換気風量で常時換気を行うと、浴室５１及び浴室５１が設置された図示しない建物全体の空気が所定時間で入れ替えられる。
【０２８９】
２４時間換気運転モードが実行され、かつ、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０２９０】
イオンの発生を連動させたイオン連動乾燥運転モードが選択されると、制御部７２は、図１３（４−２）に示す動作を実行するため、ダンパモータ８５ｃを駆動してダンパ８５を第１の分流位置にすると共に、ダンパ８５を第１の分流位置にすることで換気風路８１ｂが狭くなることによる換気風量の減少分を補うため、ファン８３の回転数が標準の回転数より高くなるように回転数を上げてファンモータ８３ａを駆動し、かつ、ヒータ８２に通電して、浴室５１や洗濯物等の乾燥運転を行う。
【０２９１】
２４時間換気時のイオン連動乾燥運転モードでは、ファンモータ８３ａの駆動が継続されることで、フロントパネル８７の吸込グリル８７ａから浴室５１の空気がファン吸込口８４ａに吸い込まれる。
【０２９２】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０２９３】
また、吸込グリル８７ａから吸い込まれた空気の残部は、循環風路８１ａを通って吹出グリル８７ｂから浴室５１内に吹き出される。
【０２９４】
２４時間換気時のイオン連動乾燥運転モードでも、ヒータ８２が通電されることで、循環風路８１ａを通る空気が温められて、温風が吹出グリル８７ｂから吹き出す。
【０２９５】
このように、２４時間換気時のイオン連動乾燥運転モードで、まず、浴室５１内の空気を循環させながら温風を吹き出し、第１の量の空気を排気して換気動作を行うことで、浴室５１内の湯気や湿気を排出しながら、ランドリパイプ５５に掛けられた洗濯物等に温風を当てて、洗濯物等を短時間で乾燥させることができる。
【０２９６】
２４時間換気時のイオン連動乾燥運転モードで、上述したような所定時間、乾燥運転を行うと、制御部７２は、ダンパモータ８５ｃを駆動してダンパ８５を第２の分流位置にすると共に、ヒータ８２の通電は停止してファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。
【０２９７】
ダンパ８５の位置が図１０（ｃ）に破線で示す第２の分流位置であると、ファン吸込口８４ａから吹出口８６ａへの循環風路８１ａと、ファン吸込口８４ａから排気口８６ｂへの換気風路８１ｂの双方が形成され、かつ、換気風路８１ｂが狭められるので、フロントパネル８７の吸込グリル８７ａから吸い込まれた空気の第１の量より少ない第２の量は、換気風路８１ｂを通って排気口８６ｂから排気される。そして、排気ダクトジョイント８９に接続された排気ダクト３から、屋外グリル４を介して屋外へ排気される。
【０２９８】
また、吸込グリル８７ａから吸い込まれた空気の残部は、循環風路８１ａを通って吹出グリル８７ｂから浴室５１内に吹き出される。
【０２９９】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０３００】
このように、２４時間換気時のイオン連動乾燥運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０３０１】
そして、２４時間換気時のイオン連動乾燥運転モードで、イオンを発生させると、浴室５１からの換気風量を低下させることで、浴室５１に供給したイオンが排気されること抑えると共に、湿気は排出し、かつ、２４時間換気に必要な換気風量が常時得られるようにする。
【０３０２】
２４時間換気時のイオン連動乾燥運転モードで、上述したような所定時間、イオンの発生を行うと、制御部７２は、イオン発生器８８でのイオンの発生を停止し、イオン連動乾燥運転モードを終了する。イオン連動乾燥運転モードを終了すると、操作部４１Ａのクリーンモードランプ４４ｂ及びイオン発生ランプ４４ｄを消灯する。
【０３０３】
また、制御部７２は、ファンモータ３３ａを標準の回転数に戻すと共に、ダンパモータ８５ｃを駆動してダンパ８５を換気位置として、２４時間換気運転を継続する。
【０３０４】
なお、２４時間換気時のイオン連動乾燥運転モードで、イオンの発生中は、ファンモータ８３ａの回転数を制御して、換気風量を調整しても良い。
【０３０５】
（４−３）２４時間換気時のイオン連動乾燥運転モードの変形例
２４時間換気時のイオン連動乾燥運転モードでは、イオンを発生する運転中は、浴室５１からの換気を停止して、２４時間換気運転を中断させるようにしてもよい。
【０３０６】
すなわち、操作部４１Ａで２４時間換気運転選択ボタン４２ａが押されることで２４時間換気運転モードが実行され、かつ、換気運転モード及び乾燥運転モードでイオンの発生を連動させると設定されている状態で、操作部４１Ａで乾燥運転選択ボタン４２ｃを押して、標準モードランプ４４ｃを点灯させると、イオンの発生を連動させた乾燥運転モードが選択される。
【０３０７】
イオンの発生を連動させたイオン連動乾燥運転モードが選択されると、制御部７２は、図１４（４−３）に示す動作を実行するため、ダンパモータ８５ｃを駆動してダンパ８５を第１の分流位置にすると共に、ダンパ８５を第１の分流位置にすることで換気風路８１ｂが狭くなることによる換気風量の減少分を補うため、回転数を上げてファンモータ８３ａを駆動し、かつヒータ８２に通電して、浴室５１や洗濯物等の乾燥運転を行う。
【０３０８】
２４時間換気時のイオン連動乾燥運転モードでは、ファンモータ８３ａの駆動が継続されることで、フロントパネル８７の吸込グリル８７ａから浴室５１の空気がファン吸込口８４ａに吸い込まれる。
【０３０９】
ダンパ８５の位置が図１０（ｃ）に実線で示す第１の分流位置であると、ファン吸込口８４ａから吹出口８６ａへの循環風路８１ａと、ファン吸込口８４ａから排気口８６ｂへの換気風路８１ｂの双方が形成されるので、フロントパネル８７の吸込グリル８７ａから吸い込まれた空気の第１の量は、換気風路８１ｂを通って排気口８６ｂから排気される。そして、排気ダクトジョイント８９に接続された排気ダクト３から、屋外グリル４を介して屋外へ排気される。
【０３１０】
また、吸込グリル８７ａから吸い込まれた空気の残部は、循環風路８１ａを通って吹出グリル８７ｂから浴室５１内に吹き出される。
【０３１１】
２４時間換気時のイオン連動乾燥運転モードでも、ヒータ８２が通電されることで、循環風路８１ａを通る空気が温められて、温風が吹出グリル８７ｂから吹き出す。
【０３１２】
このように、２４時間換気時のイオン連動乾燥運転モードで、まず、浴室５１内の空気を循環させながら温風を吹き出し、第１の量の空気を排気して換気動作を行うことで、浴室５１内の湯気や湿気を排出しながら、ランドリパイプ５５に掛けられた洗濯物等に温風を当てて、洗濯物等を短時間で乾燥させることができる。
【０３１３】
２４時間換気時のイオン連動乾燥運転モードで、上述したような所定時間、乾燥運転を行うと、制御部７２は、ダンパモータ８５ｃを駆動してダンパ８５を循環位置にすると共に、ヒータ８２の通電は停止してファンモータ８３ａの駆動は継続し、イオン発生器８８で略同数の正イオンと負イオンを発生させる。イオン発生器８８でイオンを発生させると、例えば操作部４１Ａのイオン発生ランプ４４ｄが点灯する。
【０３１４】
ダンパ８５の位置が図１０（ａ）に示す循環位置であると、ファン吸込口８４ａから吹出口８６ａへの循環風路８１ａが形成されるので、ファンモータ８３ａによりファン８３が回転駆動され、吸込グリル８７ａから吸い込まれた空気は、循環風路８１ａを通ってフロントパネル８７の吹出グリル８７ｂから吹き出される。
【０３１５】
そして、イオン発生器８８で正イオンと負イオンの双方を発生させると、浴室５１から吸い込んだ空気に略同数の正イオンと負イオンが供給され、吹出グリル８７ｂから浴室５１へと送風される。
【０３１６】
このように、２４時間換気時のイオン連動乾燥運転モードで、浴室５１内に略同数の正イオンと負イオンを含む空気を送風することで、循環する空気に含まれる浮遊細菌と浴室５１の空気中の浮遊細菌の双方を除去して、カビの発生等を抑えることができる。
【０３１７】
そして、２４時間換気時のイオン連動乾燥運転モードで、イオンを発生させている間は、ダンパ８５を循環位置として２４時間換気運転を中断することで、浴室５１に供給したイオンが排気されること防ぐ。
【０３１８】
２４時間換気時のイオン連動乾燥運転モードで、上述したような所定時間、イオンの発生を行うと、制御部７２は、イオン発生器８８でのイオンの発生を停止し、イオン連動換気運転モードを終了する。イオン連動換気運転モードを終了すると、操作部４１Ａのクリーンモードランプ４４ｂ及びイオン発生ランプ４４ｄを消灯する。
【０３１９】
また、制御部７２は、ファンモータ３３ａを標準の回転数に戻すと共に、ダンパモータ８５ｃを駆動してダンパ８５を換気位置として、２４時間換気運転を再開する。
【０３２０】
＜各実施の形態の空調装置の効果例＞
各実施の形態の空調装置では、乾燥運転モードまたは換気運転モードで、換気運転で室内湿度が下がった段階で、循環風によりイオンを放出するため、湿度を下げたことによるカビ発生の抑制効果に加え、イオン発生器の放電面を乾燥させてから、イオンを発生させることができ、より多くのイオンを発生させることができる。
【０３２１】
そして、イオン発生時に換気運転モードや乾燥運転モード時のような換気風量の大きな換気運転を行っていないため、室内に供給されたイオンが不用意に排出されることを抑制し、イオンによるカビの抑制効果を十分に発揮できるようにして、室内のカビの抑制を効果的に行うことができる。
【０３２２】
また、２４時間換気運転モードが選択されている場合は、計画換気を行いながら、イオンの発生によるカビの抑制を行うことができる。空調装置が、副吸込口を備えて多室の換気機能を備える場合、イオンを発生する運転中は、浴室５１からの換気を中断することができるので、不用意にイオンが排出されることがなくなると共に、２４時間換気は継続することができ、建物の計画換気を継続して行うことができる。
【０３２３】
＜各実施の形態の空調装置の変形例＞
イオン連動換気運転モードとイオン連動乾燥運転モード、及び２４時間換気時の各イオン連動モードで、イオンを発生する運転中は、イオンを連続的に発生させても良いし、間欠的に発生させても良い。
【０３２４】
イオン連動換気運転モードとイオン連動乾燥運転モード、及び２４時間換気時の各イオン連動モードで、イオンを発生する運転を終了した直後または所定時間経過後に、第１の実施の形態の空調装置１Ａでは、第２の換気風量での換気運転を所定時間行っても良い。また、第２の実施の形態の空調装置１Ｂでは、ダンパ８５を換気位置として、換気運転を所定時間行い、その後イオンを発生するようにしても良い。これにより、浴室５１の湿度を更に低下させ、カビの発生を抑制できる。
【０３２５】
イオン連動換気運転モードとイオン連動乾燥運転モード、及び２４時間換気時の各イオン連動モードで、第１の実施の形態の空調装置１Ａでは、イオン発生前の第２の換気風量での換気運転中にも、イオンを所定時間または常時発生させても良い。また、第２の実施の形態の空調装置１Ｂでは、ダンパ８５を第１の分流位置としてのイオン発生前の換気運転中にも、イオンを所定時間または常時発生させても良い。
【０３２６】
イオン連動換気運転モードとイオン連動乾燥運転モード、及び２４時間換気時の各イオン連動モードで、換気運転とイオンを発生する運転を、連続的または間欠的に交互に繰り返しても良い。
【０３２７】
イオン連動換気運転モード及びイオン連動乾燥運転モードで、第１の実施の形態の空調装置１Ａでは、第２の換気風量での換気運転後、第１の換気風量に切り替えて換気運転を継続しながら、イオンを連続的または間欠的に発生させても良い。更に、イオンを発生する運転を終了後、２４時間換気運転モードに移行しても良い。
【０３２８】
また、イオン連動換気運転モード及びイオン連動乾燥運転モードで、第２の実施の形態の空調装置１Ｂでは、ダンパ８５を第１の分流位置としての換気運転後、ダンパ８５を第２の分流位置に切り替えて換気運転を継続しながら、イオンを連続的または間欠的に発生させても良い。更に、イオンを発生する運転を終了後、２４時間換気運転モードに移行しても良い。
【０３２９】
イオン連動換気運転モードとイオン連動乾燥運転モード、及び２４時間換気時の各イオン連動モードで、イオンを発生させる運転中は、電動ルーバ３３を所定の範囲でスイングさせ、イオンを含む送風を広範囲に吹き出すようにしても良い。また、電動ルーバ３３で送風方向を所望の方向に固定しても良い。
【０３３０】
操作部４１Ａに、イオンの発生の有無を予め設定せずに、イオン連動換気運転モードとイオン連動乾燥運転モードを直接選択できる運転モード選択ボタンを備えても良い。
【０３３１】
＜各実施の形態の空調装置の他の動作例＞
各実施の形態の空調装置は、イオンを発生する運転を連動しない換気運転モード及び乾燥運転モードも実行可能である。
【０３３２】
また、操作部４１Ａの暖房運転選択ボタン４２ｄが押されると、暖房運転モードが選択され、暖房運転が実行される。暖房運転モードでは、空調装置１Ａであると、循環ファンモータ１５を駆動すると共にヒータ２０ｈに通電を行い、循環風で温風を吹き出す。２４時間換気運転モード実行中は、風路開閉ダンパ３１を閉じて浴室５１空の換気を中断する。
【０３３３】
また、空調装置１Ｂであると、ダンパ８５を循環位置として、ファン部８０を駆動すると共にヒータ８２に通電を行い、循環風で温風を吹き出す。
【０３３４】
なお、暖房運転モードでは、イオン発生器で負イオンを発生させても良い。
【０３３５】
更に、操作部４１Ａの涼風運転選択ボタン４２ｅが押されると、涼風運転モードが選択され、涼風運転が実行される。涼風運転モードでは、空調装置１Ａであると、循環ファンモータ１５を駆動して、室温に応じた循環風で送風を吹き出すと共に、換気ファンモータ２２を駆動して浴室５１の換気を行う。
【０３３６】
また、空調装置１Ｂであると、ダンパ８５を第１の分流位置として、ファン部８０を駆動して、室温に応じた循環風で送風を吹き出すと共に浴室５１の換気を行う。
【０３３７】
なお、涼風運転モードでも、イオン発生器で負イオンを発生させても良い。
【産業上の利用可能性】
【０３３８】
本発明は、浴室等に設置され、浴室、洗面所、トイレ等のサニタリ空間及び他室の換気や、浴室及び浴室内の洗濯物等を乾燥させる機能を有する浴室換気乾燥機に適用される。
【図面の簡単な説明】
【０３３９】
【図１】第１の実施の形態の空調装置の一例を示す構成図である。
【図２】第１の実施の形態の空調装置の一例を示す構成図である。
【図３】第１の実施の形態の空調装置の一例を示す構成図である。
【図４】電動ルーバの一例を示す構成図である。
【図５】第１の実施の形態の空調装置の制御系の一例を示す機能ブロック図である。
【図６】操作部の一例を示す構成図である。
【図７】第１の実施の形態の空調装置のイオン連動換気運転の動作例を示すタイミングチャートである。
【図８】第１の実施の形態の空調装置のイオン連動乾燥運転の動作例を示すタイミングチャートである。
【図９】第２の実施の形態の空調装置の一例を示す構成図である。
【図１０】第２の実施の形態の空調装置の一例を示す構成図である。
【図１１】第２の実施の形態の空調装置の制御系の一例を示す機能ブロック図である。
【図１２】第２の実施の形態の空調装置のイオン連動換気運転の動作例を示すタイミングチャートである。
【図１３】第２の実施の形態の空調装置のイオン連動乾燥運転の動作例を示すタイミングチャートである。
【符号の説明】
【０３４０】
１Ａ，１Ｂ：空調装置、１２・・・循環ファン部、１３・・・換気ファン部、２０ｈ・・・ヒータ、２０ｉ・・・イオン発生器、３１・・・風路開閉ダンパ、３３・・・電動ルーバ、４１Ａ・・・操作部、４２ａ・・・２４時間換気運転選択ボタン、４２ｂ・・・換気運転選択ボタン、４２ｃ・・・乾燥運転選択ボタン、４２ｄ・・・暖房運転選択ボタン、４２ｅ・・・涼風運転選択ボタン、４４ａ・・・標準モードランプ、４４ｂ・・・クリーンモードランプ、４４ｃ・・・標準モードランプ、４４ｄ・・・イオン発生ランプ、５１・・・浴室、７１・・・制御部
【図１】
2008107035.tif 000003
【図２】
2008107035.tif 000004
【図３】
2008107035.tif 000005
【図４】
2008107035.tif 000006
【図５】
2008107035.tif 000007
【図６】
2008107035.tif 000008
【図７】
2008107035.tif 000009
【図８】
2008107035.tif 000010
【図９】
2008107035.tif 000011
【図１０】
2008107035.tif 000012
【図１１】
2008107035.tif 000013
【図１２】
2008107035.tif 000014
【図１３】
2008107035.tif 000015